(57)【特許請求の範囲】
【請求項１】
上端を吸込口とし下部を吹出口とした通風路を台構造の箱体に構成し、この箱体の通風路に空気浄化手段と送風機とを組込んで前記吸込口から吸込んだ空気を浄化して前記吹出口から吹出すようにした空気浄化装置であって、その箱体の天面を、周囲に前記吸込口に通じる通風空間を保持し、第一の複数の支持脚を介してその箱体に着脱可能とした、この箱体の天面の平面積より若干狭い平面積のテーブル板によって被冠し、このテーブル板に第二の複数の支持脚を介して通風路の吸込口に位置する通気性の高い吸込口カバーを取付けた空気浄化装置。
【請求項２】
請求項１に記載の空気浄化装置であって、テーブル板に吸込口に通じる開口部を設け、この開口部を通気性の高いカバーで覆った空気浄化装置。
【発明の詳細な説明】
【０００１】
【発明の属する技術分野】
本発明は、限られた範囲の空間の空気汚濁を浄化する空気浄化装置に関し、特に、喫煙室や喫煙所における喫煙に伴う空気汚濁の浄化処理に適した空気浄化装置に関するものである。
【０００２】
【従来の技術】
煙や臭気等で汚濁した空気を浄化する装置として、従来からフィルターと送風機を備えた空気清浄機がある。一般に良く知られているものは、室内全体の空気を浄化する処理風量の比較的大きいものである。喫煙室や喫煙所等の限られた空間の局所的な空気汚濁の浄化には、処理風量の少ない空気清浄機が開発されている。例えば、特公平７―６７４１２号公報には、空気清浄機能を有するテーブルが示されている。この空気清浄機であるテーブルは、テーブル本体のテーブル天板の中央に空気清浄機の吸込口が設けられ、この吸込口の上方を遮蔽板で覆い、遮蔽板とテーブル天板との間からテーブル面に沿う形態で周囲の空気を吸込み、テーブル本体の一側から清浄化した空気を吹出すようにしている。このテーブルは、テーブル回りの限られた空間の空気汚濁を浄化処理するものであり、事業所等の喫煙室や喫煙所等の限られた空間の局所的な空気汚濁の浄化に適している。
【０００３】
【発明が解決しようとする課題】
上記した従来の空気清浄機能を有するテーブルにおいて、灰皿や飲物等の物品を置いたりする所謂テーブル機能を果すテーブル天板には、その中央に吸込口が有り、吸込口の上方を遮蔽板で覆っているため、テーブル天板のテーブル機能を果す平面積を確保するためには、物品の置けない遮蔽板で潰れる平面積を補う平面積のテーブル天板を構成しなければならず、占有面積の広い大型なものとなる。元来それ程広く設定されることのない喫煙室等では、占有面積が広いと適用できないことも多く、この種の空気清浄装置の小型化の要請には強いものがある。
【０００４】
本発明は、係る従来の問題点を解消するためになされたものであり、その課題とするところは、テーブル機能を確保した占有面積の小さい小型の空気浄化装置を得ることであり、その空気浄化装置の使い勝手の向上や機能の向上を推進することである。
【０００５】
【課題を解決するための手段】
前記課題を達成するために請求項１の発明は、上端を吸込口とし下部を吹出口とした通風路を台構造の箱体に構成し、この箱体の通風路に空気浄化手段と送風機とを組込んで吸込口から吸込んだ空気を浄化して吹出口から吹出すようにした空気浄化装置について、その箱体の天面を、周囲に吸込口に通じる通風空間を保持し、第一の複数の支持脚を介してその箱体に着脱可能とした、この箱体の天面の平面積より若干狭い平面積のテーブル板によって被冠し、このテーブル板に第二の複数の支持脚を介して通風路の吸込口に位置する通気性の高い吸込口カバーを取付ける手段を採用する。
【０００６】
前記課題を達成するために請求項２の発明は、請求項１に記載の空気浄化装置においてテーブル板に吸込口に通じる開口部を設け、この開口部を通気性の高いカバーで覆う手段を採用する。
【０００７】
【発明の実施の形態】
図１〜図１０によって示す本実施の形態は、限られた範囲の空間の空気汚濁を浄化する空気浄化装置に関するものである。この空気浄化装置は、図１によって全体を示すようにキャビネット型の台構造の箱体１内に、空気を連続的に吸込んで浄化処理して排気する機構を組込んで空気清浄機２を構成し、この空気清浄機２に喫煙に拘る種々の事柄に対応できる工夫を講じたものであり、喫煙室に設置したり、駅のプラットホームの一部や事業所に設定された喫煙場所等に設置し、その限られた空間に発生する汚濁空気の浄化を図るものである。
【０００８】
空気清浄機２の基本的な構成は、図２に内部機構を破断して示すように被処理空気を取込み再び外部に送り出す一連の通風路３に、一方向の空気流を形成する送風機４と、取込んだ被処理空気を浄化処理する浄化処理機能の主体としての空気浄化手段を組込んだものである。通風路３は箱体１内に構成され、その被処理空気を取込む吸込口５は、箱体１の天面の中央に上向きに開設され、メッシュやパンチングメタル等の通気性の高い材料で形成された吸込口カバー６が着脱可能に嵌装着されている。通風路３の出口である吹出口７は、箱体１の下部寄りの側面や底面などに開設されている。送風機４は、通風路３の吹出口７側に組込まれ、吸込口５から吹出口７に向う空気流を通風路３に形成する。送風機４としては本実施の形態ではシロッコファンが採用されているがターボファンやラジアルファン等、他の遠心式送風機でも構わない。
【０００９】
空気清浄機２の空気浄化手段は、比較的大きな粒子を捕集するプレフィルター８と、比較的微細な粒子を捕集する機械式の集塵フィルター９と、気体状態の臭気成分を吸着する脱臭フィルター１０とにより構成されている。プレフィルター８と集塵フィルター９は、吸込口５と送風機４の吸込口との間の通風路３に、通風路３を横断する状態にプレフィルター８が上流側になるように着脱可能に装着されている。脱臭フィルター１０は、送風機４の吸込口より上流側の通風路３に、通風路３を横断する状態に着脱可能に装着されている。なお、集塵フィルター９については、電気集塵器を用いても良く、脱臭フィルター１０についてもプラズマ脱臭装置等を用いても良い。
【００１０】
箱体１は、空気清浄機２の外殻としての構造でもあるが、六面体をなすその天面１１上には、図３に上部を拡大して示すように３０ｍｍ〜２００ｍｍの間隔をおいて、天面１１の投影平面積より若干狭い平面積のテーブル板１２が吸込口５を被冠する状態に設けられている。テーブル板１２は、四隅において箱体１に固定された四本の支持脚１３で支えられ、テーブル板１２と箱体１の天面１１との間には所定の通風空間１４が確保されている。テーブル板１２上には喫煙に伴う吸殻や灰入れとして耐熱容器１５が係脱可能に付設されている。なお、箱体１の高さは７００ｍｍ程度に設定され、底部四隅にはストッパー付きの車輪１６が取付けられていて、装置全体を必要な場所に自由に移動しストッパーにより所定位置に留め置くことができるようになっている。
【００１１】
この空気浄化装置は、喫煙室や喫煙場所に設置して送風機４を運転させれば、箱体１の天面１１とテーブル板１２の間の通風空間１４に吸込作用が働き、テーブル板１２周囲の空気が吸込口５へ吸込まれ、空気清浄機２を通過することによって浄化処理され、吹出口７から外部へ吹出される。
【００１２】
この空気浄化装置の特徴は、箱体１の天面１１の投影平面積を広くしなくても物を置くことのできる平面積が広く採れることであり、設置場所の占有面積が小さくなることである。即ち、箱体１の天面１１に吸込口５を配置する場合、吸込口５を囲む天面１１に物を置く面積を確保することになるが、この面積を広くして使い易くしようとすれば、天面１１の投影平面積は大きくなり装置が大型化してしまう。しかし、吸込口５を被冠するテーブル板１２を設けた本空気浄化装置では、箱体１の天面１１の平面積を広くしなくても物を置くことのできる平面が広くでき、箱体１自体の小型化も可能になる。テーブル板１２の平面積は、箱体１の天面１１の投影平面積より若干狭くなっているため、通風空間１４に働く吸込作用は、テーブル板１２の外周においてテーブル板１２の上面側にも働き、テーブル板１２上での煙草の煙も吸引することができる。テーブル板１２に設けた耐熱容器１５は、そのまま灰皿として喫煙に伴う吸殻や灰入れとして使用でき、着脱できるので清掃も容易である。また、テーブル板１２により吸込口５の吸込口カバー６上への異物の落込みも防止できる。
【００１３】
四本の支持脚１３とともにテーブル板１２を箱体１に着脱可能に構成することにより、吸込口カバー６の清掃や、吸込口カバー６を外しての吸込口５内の清掃がし易くなる。この場合、図４に拡大して示すように吸込口カバー６に支持脚１３を固定し、この支持脚１３にテーブル板１２を取付ける構成を採ることにより、テーブル板１２の固定が箱体１の天面１１へ直接固定するより簡単になり、清掃に当っても一括して扱えるため作業し易い。また、テーブル板１２の無い箱体１で構成された既設の空気浄化装置を簡単にテーブル板付きの空気浄化装置に構成することが可能にもなる。
【００１４】
テーブル板１２については、図５に示すようにその縁部全周に立上り１７を設けるか、図６に示すように上面に内向きの緩やかな傾斜１８を形成することによって、テーブル板１２上で飲物等を溢してもテーブル板１２の外へ滴下せず、吸込口５へ溢れた飲物が侵入して電気部品の故障を招くようなことを未然に防止することができる。
【００１５】
通風空間１４に働く吸込作用は、テーブル板１２の外周においてテーブル板１２の上面側にも働くが、図７や図８に示すようにテーブル板１２に吸込口５に通じるスリット式の開口部１９を設けることにより、テーブル板１２上への吸込作用をより高く働かせることができ、テーブル板１２上の耐熱容器１５に置いた煙草の煙等も吸込ませ浄化処理することができる。この場合、吸込口５への異物の落下を防ぐために、開口部１９を通気性の高いカバー２０で覆うと良い。
【００１６】
さらに、テーブル板１２を支える支持脚１３回りの通風空間１４に図９に示すように通気性の高い材料で構成した柵構造２１を設けることによって、圧力損失の増加を招く通風空間１４からの吸込口５への異物の侵入を防止することができる。なお、箱体１及びテーブル板１２の平面形状は、角形でも円形でも楕円形でもよく、図１０に示すように箱体１の一部に芳香剤を収納する収納部２２を設け、芳香剤によって長期使用による煙草臭の染付きなどによる使用感の低下を改善させることもできる。
【００１７】
【発明の効果】
請求項１の発明によれば、テーブル機能を確保した占有面積の小さい小型の空気浄化装置が得られるとともに吸込口周りの清掃がし易くなる。
【００１８】
請求項２の発明によれば、請求項１に係る前記効果とともにテーブル板上に吸込作用を働くようにすることができ、吸込口への異物の落下を防止することができる。
【図面の簡単な説明】
【図１】  実施の形態の空気浄化装置の全体を示す斜視図である。
【図２】  実施の形態の空気浄化装置を一部を破断して示す正面図である。
【図３】  実施の形態の空気浄化装置の上部を拡大して示す斜視図である。
【図４】  実施の形態の空気浄化装置のテーブル板部分の構成の一例を示す拡大背面図である。
【図５】  実施の形態の空気浄化装置の上部の構成の一例を示す部分拡大斜視図である。
【図６】  実施の形態の空気浄化装置の上部の構成の一例を示す部分拡大斜視図である。
【図７】  実施の形態の空気浄化装置のテーブル板の構成の一例を示す部分拡大斜視図である。
【図８】  実施の形態の空気浄化装置のテーブル板の構成の一例を示す部分拡大斜視図である。
【図９】  実施の形態の他の空気浄化装置を示す側面図である。
【図１０】  実施の形態の他の空気浄化装置を示す斜視図である。
【符号の説明】
１  箱体、  ２  空気清浄機、  ３  通風路、  ４  送風機、  ５  吸込口、  ６  吸込口カバー、  ７  吹出口、  ８  プレフィルター、  ９  集塵フィルター、  １０  脱臭フィルター、  １１  天面、  １２  テーブル板、  １４  通風空間、  １５  耐熱容器、  １７  立上り、  １８  傾斜、  １９  開口部、  ２０  カバー、  ２１  柵構造。
【図１】
0003753043.tif 000002
【図２】
0003753043.tif 000003
【図３】
0003753043.tif 000004
【図４】
0003753043.tif 000005
【図５】
0003753043.tif 000006
【図６】
0003753043.tif 000007
【図７】
0003753043.tif 000008
【図８】
0003753043.tif 000009
【図９】
0003753043.tif 000010
【図１０】
0003753043.tif 000011